(57)【要約】【課題】  放送波の単方向の受信情報で、購入状況を画面表示させることができるデジタル放送受信装置を提供する。【解決手段】  デジタル放送受信装置２１０は、放送波により送信されるコンテンツを受信するためのライセンスを複数個まとめて販売する際の販売単位であるパッケージを示すパッケージ情報を記憶するパッケージメタ記憶部１１８と、放送波に多重化されて送信されるライセンス情報を受信するデータ分離部１１２と、データ分離部１１２にて受信したライセンス情報に基づいて、パッケージメタ記憶部１１８に記憶された複数のパッケージ情報から、購入されたパッケージを購入パッケージ情報として求めるクライアントアプリケーション１１９と、クライアントアプリケーション１１９にて検索された購入パッケージ情報を表示する画面表示部１３０とを備える。【選択図】  図１
2007158560.tif 000002
【特許請求の範囲】
【請求項１】
放送波により送信されるコンテンツを視聴するためのライセンスを複数個まとめて販売する際の販売単位であるパッケージを示すパッケージ情報を記憶するパッケージ情報記憶部と、
前記放送波に多重化されて送信されるライセンス情報を受信するライセンス情報受信部と、
前記ライセンス情報受信部にて受信したライセンス情報に基づいて、前記パッケージ情報記憶部に記憶された複数のパッケージ情報から、購入されたパッケージを購入パッケージ情報として求める購入パッケージ検索部と、
前記購入パッケージ検索部にて検索された購入パッケージ情報を表示する購入パッケージ情報表示部と、
を備えたことを特徴とするデジタル放送受信装置。
【請求項２】
前記ライセンス情報受信部にてライセンス情報を受信したときに、前記ライセンス情報受信部にて新たに受信したライセンスと、そのライセンス情報を受信するまで有効であったライセンスとを比較する新旧ライセンス比較部を備え、
前記購入パッケージ検索部は、前記新旧ライセンス比較部にて比較された結果に基づいて、前記購入パッケージを求めることを特徴とする請求項１に記載のデジタル放送受信装置。
【請求項３】
前記購入パッケージ検索部にて検索された購入パッケージ情報を記憶する購入パッケージ履歴記憶部を備えたことを特徴とする請求項１に記載のデジタル放送受信装置。
【請求項４】
放送波に多重化されて送信される前記ライセンス情報には、そのライセンスに係るパッケージのパッケージ毎に異なるバージョン情報が含まれており、
前記購入パッケージ検索部は、同じバージョン情報を有するライセンスを販売単位とするパッケージを検索することにより、購入パッケージ情報を求めることを特徴とする請求項１に記載のデジタル放送受信装置。
【請求項５】
前記放送波に多重化されて送信される前記ライセンス情報には、全ライセンスのそれぞれについて、ライセンスを購入したか否かの状態を１ビットで表現したビット列に関する情報が含まれており、
前記購入パッケージ検索部は、前記ビット列に関する情報に基づいて購入パッケージ情報を求めることを特徴とする請求項１に記載のデジタル放送受信装置。
【請求項６】
放送波に多重化されて送信される前記パッケージ情報を受信し、受信したパッケージ情報を前記パッケージ情報記憶部に記憶することを特徴とする請求項１に記載のデジタル放送受信装置。
【請求項７】
前記ライセンス情報受信部は、通信回線を通じて送信される前記コンテンツのライセンス情報を受信することを特徴とする請求項１に記載のデジタル放送受信装置。
【請求項８】
前記パッケージ情報記憶部には、それぞれのパッケージの価格の情報が記憶されており、
前記パッケージ情報記憶部に記憶されたパッケージの価格の情報に基づいて、現在購入しているライセンスと同じライセンスを購入できる最安のパッケージの組合せを検索する最安パッケージ情報検索部と、
前記最安パッケージ情報検索部にて検索された最安パッケージと現在購入しているパッケージとが異なる場合に、前記最安パッケージを表示する最安パッケージ表示部と、
を備えたことを特徴とする請求項１に記載のデジタル放送受信装置。
【発明の詳細な説明】
【技術分野】
【０００１】
本発明は、コンテンツ購入に関する画面表示機能を有するデジタル放送受信装置に関する。
【背景技術】
【０００２】
従来の通信を利用したデジタル放送受信装置においては、インターネット技術を利用して、視聴者情報を管理する顧客管理サーバに双方向にアクセスすることにより、視聴者は、受信機にてコンテンツの購入状況を閲覧することができる（例えば、特許文献１参照）。
【０００３】
図２２は、コンテンツの購入状況を閲覧可能なデジタル放送受信装置の例を示す図である。デジタル放送受信装置１１０は、放送波受信処理部１１１、データ分離部１１２、通信処理部１１３、ＩＣカード１１４、カード記憶部１１５、カード読み書き処理部１１６、コンテンツ記憶部１１７、パッケージメタ記憶部１１８、クライアントアプリケーション１１９、ライセンス参照情報記憶部１２０、キー入力処理部１２１、画面出力処理部１２２で構成されている。例えば、特許文献１に記述されているパッケージメタ、ライセンス参照情報を利用して、購入状況（購入済／未購入）を表示させようとする場合、クライアントアプリケーション１１９から通信処理部１１３へ指示することで、インターネット上の顧客管理サーバへアクセスし、視聴者を特定して購入状況の情報を受信する。デジタル放送受信装置１１０の画面出力処理部１２２は、顧客管理サーバから受信した情報を用いて、購入状況（購入済／未購入）や購入履歴を表示することができる。
【特許文献１】特開２００５−１６５４３３号公報
【発明の開示】
【発明が解決しようとする課題】
【０００４】
しかしながら、従来のデジタル放送受信装置においては、通信回線に接続されていることが前提となっている。従って、インターネット環境がない、またはインターネット回線に接続していない視聴者が利用する場合、顧客管理サーバに双方向アクセスできない。従来のデジタル放送受信装置の仕組みでは、放送波の単方向の受信情報で購入状況を画面表示できなかった。
【０００５】
本発明は、上記背景に鑑みてなされたもので、放送波の単方向の受信情報で、購入状況を画面表示させることができるデジタル放送受信装置を提供することを目的とする。
【課題を解決するための手段】
【０００６】
本発明のデジタル放送受信装置は、放送波により送信されるコンテンツを視聴するためのライセンスを複数個まとめて販売する際の販売単位であるパッケージを示すパッケージ情報を記憶するパッケージ情報記憶部と、前記放送波に多重化されて送信されるライセンス情報を受信するライセンス情報受信部と、前記ライセンス情報受信部にて受信したライセンス情報に基づいて、前記パッケージ情報記憶部に記憶された複数のパッケージ情報から、購入されたパッケージを購入パッケージ情報として求める購入パッケージ検索部と、前記購入パッケージ検索部にて検索された購入パッケージ情報を表示する購入パッケージ情報表示部とを備えた構成を有する。
【０００７】
この構成により、パッケージ情報記憶部に記憶された複数のパッケージ情報の中から、放送波に多重化されて送信されるライセンス情報に基づいて、購入したパッケージを検索するので、デジタル放送受信装置は放送局から受信する放送波のみに基づいて、購入したパッケージを表示することができる。これにより、デジタル放送受信装置から放送局または管理サーバへの上りのデータ送信がない単方向通信の環境においても、デジタル放送受信装置において購入したパッケージを表示できる。
【０００８】
本発明のデジタル放送受信装置は、前記ライセンス情報受信部にてライセンス情報を受信したときに、前記ライセンス情報受信部にて新たに受信したライセンスと、そのライセンス情報を受信するまで有効であったライセンスとを比較する新旧ライセンス比較部を備え、前記購入パッケージ検索部は、前記新旧ライセンス比較部にて比較された結果に基づいて、前記購入パッケージを求める構成を有する。
【０００９】
この構成により、現在購入したパッケージが、新規に購入したものか、継続した購入しているものかを判断することができる。
【００１０】
本発明のデジタル放送受信装置は、前記購入パッケージ検索部にて検索された購入パッケージ情報を記憶する購入パッケージ履歴記憶部を備えた構成を有する。
【００１１】
この構成により、過去に購入したパッケージの情報も表示することができる。
【００１２】
本発明のデジタル放送受信装置において、前記放送波に多重化されて送信される前記ライセンス情報には、そのライセンスに係るパッケージのパッケージ毎に異なるバージョン情報が含まれており、前記購入パッケージ検索部は、同じバージョン情報を有するライセンスを販売単位とするパッケージを検索することにより、購入パッケージ情報を求める構成を有する。
【００１３】
この構成により、パッケージのバージョン情報を用いて、購入したパッケージを検索することができる。
【００１４】
本発明のデジタル放送受信装置において、放送波に多重化されて送信される前記ライセンス情報には、全ライセンスのそれぞれについて、ライセンスを購入したか否かの状態を１ビットで表現したビット列に関する情報が含まれており、前記購入パッケージ検索部は、前記ビット列に関する情報に基づいて購入パッケージ情報を求める構成を有する。
【００１５】
この構成により、ライセンスの購入状況がビット列として表現されるので、受信可能なコンテンツおよびそのライセンスの管理が容易となる。
【００１６】
本発明のデジタル放送受信装置は、放送波に多重化されて送信される前記パッケージ情報を受信し、受信したパッケージ情報を前記パッケージ情報記憶部に記憶する構成を有する。
【００１７】
この構成により、パッケージ情報記憶部に記憶されるパッケージ情報を最新化することができる。
【００１８】
本発明のデジタル放送受信装置において、前記ライセンス情報受信部は、通信回線を通じて送信される前記コンテンツのライセンス情報を受信する構成を有する。
【００１９】
この構成により、デジタル放送受信装置は、放送波に多重化されたライセンス情報を放送波から分離して取得しなくてもよいので、簡単な構成とすることができる。
【００２０】
本発明のデジタル放送受信装置において、前記パッケージ情報記憶部には、それぞれのパッケージの価格の情報が記憶されており、前記パッケージ情報記憶部に記憶されたパッケージの価格の情報に基づいて、現在購入しているライセンスと同じライセンスを購入できる最安のパッケージの組合せを検索する最安パッケージ情報検索部と、前記最安パッケージ情報検索部にて検索された最安パッケージと現在購入しているパッケージとが異なる場合に、前記最安パッケージを表示する最安パッケージ表示部とを備えた構成を有する。
【００２１】
この構成により、現状で受信可能なコンテンツを受信できる別の安価なパッケージがある場合には、その安価なパッケージを提案できる。
【発明の効果】
【００２２】
本発明は、放送局からデジタル放送受信装置への単方向の受信情報のみでも、視聴者にコンテンツ購入状況（購入済／未購入）やコンテンツ購入履歴を提示するデジタル放送受信装置を提供できるというすぐれた効果を有する。
【発明を実施するための最良の形態】
【００２３】
以下、本発明の実施の形態のデジタル放送受信装置について、図面を用いて説明する。
（第１の実施の形態）
図１は、本発明の第１の実施の形態のデジタル放送受信装置２１０を示す図である。デジタル放送受信装置２１０は、放送波受信処理部１１１、データ分離部１１２、コンテンツ記憶部１１７、パッケージメタ記憶部１１８、ライセンス参照情報記憶部１２０、視聴者認証カード（以下、単に「ＩＣカード」という）１１４に対するアクセスを行うカード読み書き処理部１１６、旧ライセンス記憶部２１２、新旧ライセンス比較処理部２１３、購入履歴記憶部２１１、キー入力処理部１２１、クライアントアプリケーション１１９、画面出力処理部１２２とを備えている。カード読み書き処理部１１６に挿入されるＩＣカード１１４は、情報をセキュアに記憶するカード記憶部１１５を備えている。
【００２４】
放送波受信処理部１１１は、放送施設１００から送信される放送波を受信する。放送波には、コンテンツ、コンテンツを購入するためのパッケージ情報を表示するためのパッケージメタ、コンテンツの利用条件等を表示するためのライセンス参照情報、およびコンテンツ復号に使用するライセンスが多重化されている。放送波受信処理部１１１は、多重化されたデータを受信する。
【００２５】
データ分離部１１２は、放送波受信処理部１１１にて受信した多重化されたデータを、コンテンツ、パッケージメタ、ライセンス参照情報、ライセンスに分離し、分離したデータを、コンテンツ記憶部１１７、パッケージメタ記憶部１１８、ライセンス参照情報記憶部１２０、カード記憶部１１５のそれぞれに記録する。
以上のように構成されたデジタル放送受信装置２１０の動作について説明する。
【００２６】
（１）視聴者が購入する準備を行う処理フロー
（１−１）放送局の運用
図２は、視聴者がコンテンツを購入する準備を行う動作を示すフローチャートである。複数のコンテンツを提供する放送局は、コンテンツのライセンスをまとめ売りする単位（パッケージ）を決定する（Ｓ０１）。次に、放送局は、決定されたパッケージに含まれるコンテンツを表示するためのパッケージメタデータおよびライセンス参照情報を生成する。
【００２７】
図３は、パッケージメタデータの例を示す図である。パッケージメタデータは、パッケージを特定するパッケージＩＤ、パッケージ名、パッケージの価格、そのパッケージで利用可能なライセンスの一覧の情報を含んでいる。図３に示す例では、パッケージＩＤが「Ｐ００」で特定されるパッケージを購入すると、ライセンスＩＤが「Ｌ００」「Ｌ０１」で示されるコンテンツを利用できることが分かる。
【００２８】
図４は、ライセンス参照情報の例を示す図である。ライセンス参照情報は、ライセンスを特定するライセンスＩＤ、およびそのライセンスによって利用可能となるライセンス名の情報を含んでいる。ライセンス参照情報にはコンテンツを復号するための情報は入っておらず、パッケージメタデータ同様、デジタル放送受信装置に表示するためのデータである。
【００２９】
デジタル放送受信装置２１０は、パッケージメタデータおよびライセンス参照情報により、放送局が提供するパッケージを表示することができる。図５（ａ）は、パッケージメタデータおよびライセンス参照情報の例を示す図、図５（ｂ）はパッケージメタ「０１」の情報を表示した例、図５（ｃ）はパッケージメタ「００」の情報を表示した例を示す図である。図５（ａ）に示すように、パッケージメタで規定される利用可能なライセンスＩＤに対応するライセンス名を、ライセンス参照情報から取得することにより、放送局が提供するパッケージを表示できる（図５（ｂ）、図５（ｃ）参照）。
【００３０】
次に、放送局は、生成したパッケージメタデータおよびライセンス参照情報を他のデータと多重して放送波で送出する（Ｓ０２）。
【００３１】
（１−２）デジタル放送受信装置側で行う動作
デジタル放送受信装置２１０は、放送局から送信される多重したデータを放送波受信処理部１１１にて受信する。デジタル放送受信装置２１０のデータ分離部１１２は、受信したデータからパッケージメタおよびライセンス参照情報を取り出す（Ｓ１１）。
【００３２】
次に、デジタル放送受信装置２１０は、データ分離部１１２で取り出したパッケージメタデータおよびライセンス参照情報を、パッケージメタ記憶部１１８、ライセンス参照情報記憶部１２０に記録されたデータと比較し、受信したパッケージメタデータまたはライセンス参照情報が新規データまたは更新データであるか否かを判断する（Ｓ１２）。
【００３３】
新規データまたは更新データの場合（Ｓ１２でＹＥＳ）、デジタル放送受信装置２１０は、新規データまたは更新データのパッケージメタ、ライセンス参照情報をパッケージメタ記憶部１１８、ライセンス参照情報１２０に記録する（Ｓ１３）。受信したデータが、新規データまたは更新データのいずれでもない場合（Ｓ１２でＮＯ）、受信データを破棄してこのフローを終了する。
【００３４】
以上の動作により、デジタル放送受信装置２１０にパッケージメタデータおよびライセンス参照情報を記憶することができ、デジタル放送受信装置２１０は、放送局から提供されるコンテンツのパッケージについての情報を把握できる。
【００３５】
（２）視聴者がパッケージ購入し放送局からライセンス付与される処理フロー
（２−１）放送局の運用
図６は、視聴者がパッケージ購入して放送局からライセンス付与される動作を示すフローチャートである。放送局は、視聴者からの購入依頼を受ける（Ｓ２１）。視聴者は、電話やはがきでの申し込みなどにより、オフラインで、視聴者からパッケージの購入依頼を行う。放送局によって提供されるパッケージの情報は、パンフレットや雑誌等を参照してもよいし、先に説明した放送局から送信されるパッケージメタデータおよびライセンス参照情報によりデジタル放送受信装置が画面に表示してもよい。この視聴者からの依頼のステップが、次ステップへ進むトリガーとなる。
【００３６】
なお、視聴者が視聴可能なコンテンツは、パッケージ購入により取得したライセンスで視聴可能なコンテンツである。例えば、パッケージメタの利用可能なライセンスＩＤ一覧に記載されているライセンスが、当該パッケージ購入で利用可能となるライセンスのＩＤとなる。パッケージメタはデジタル放送受信装置２１０画面で表示するためのデータで、デジタル放送受信装置２１０は記憶したパッケージメタのパッケージ名、パッケージ価格を抽出し、例えば図１２の受信画面表示例Ｐ０１に示すように、パッケージ名、価格、購入状況を表示できる。図１２において、１行分の情報を表示するのに１つのパッケージメタが必要となる。
【００３７】
放送局は、視聴者から依頼された内容に基づいて、デジタル放送受信装置２１０でパッケージが識別できるようなバージョン更新を行う（Ｓ２２）。ここで、本実施の形態におけるパッケージのバージョン管理について説明する。
【００３８】
ここでは、視聴者から図７に示す購入依頼があった場合を例として説明する。すなわち、視聴者は、現在パッケージメタ「００」「０５」「０７」に記載された内容のパッケージを購入済みで、これを、パッケージメタ「０１」「０７」に記載されたパッケージに切り替える購入依頼があった場合である。
【００３９】
ライセンスは、暗号化されたコンテンツ等を復号するための暗号鍵等を含んだ情報であり、デジタル放送受信装置２１０の画面表示のためのライセンス参照情報とは異なる。本実施の形態では、ライセンス毎にバージョンを管理する。
【００４０】
図８（ａ）および図８（ｂ）は、図７に示す購入依頼に従ってパッケージを更新するときのバージョン管理について説明するための図である。図８（ａ）はパッケージ更新前にカード記憶部１１５に記憶されたライセンスの情報を示す図、図８（ｂ）はパッケージ更新後にカード記憶部１１５に記憶されたライセンスの情報を示す図である。
【００４１】
カード記憶部に記憶されたライセンスの情報には、ライセンスを特定するためのライセンスＩＤ、そのライセンスによってコンテンツを利用するための鍵、ライセンスの期限、およびライセンスのバージョン（図８（ａ）および図８（ｂ）では「Ｖｅｒ」と記載している）が含まれている。
【００４２】
ライセンス毎にバージョンを管理する場合には、パッケージを識別するため、同一パッケージに含まれるライセンスのＶｅｒ値を全て同一にすると共に、他のパッケージとは異なる値を用いている。例えば、パッケージメタ「００」に含まれるライセンスＩＤ「Ｌ００」「Ｌ０１」のＶｅｒ値は「０００１」であり、パッケージメタ「０５」に含まれるライセンスＩＤ「Ｌ０５」「Ｌ０６」のＶｅｒ値は「０００２」である。
【００４３】
図８（ａ）および図８（ｂ）に見られるように、購入パッケージ内容をパッケージメタ「００」からパッケージメタ「０１」へ変更する時、ライセンスＩＤ「Ｌ００」「Ｌ０１」のように、変更前にも変更後にも同じライセンスＩＤを含むパッケージに変更する場合は、そのライセンスはデジタル放送受信装置２０１に既に送信されている。ライセンスＩＤ「Ｌ００」「Ｌ０１」がパッケージメタ「００」のライセンスではなく、パッケージメタ「０１」のライセンスに変更されたことをデジタル放送受信装置２１０に伝えるため、ライセンスＩＤ「Ｌ００」「Ｌ０１」のＶｅｒ値を、パッケージメタ「０１」に含まれるライセンスＩＤ「Ｌ０２」「Ｌ０３」と同一のＶｅｒ値に変更する。ここでは、パッケージメタ「０１」のＶｅｒ値を「０００４」に変更している。パッケージメタ「００」のライセンスに与えるＶｅｒ値とパッケージメタ「０１」のライセンスに与えるＶｅｒ値は、異なる値とする。
【００４４】
また、図７に示すように、パッケージメタ「０５」を契約終了するときは、パッケージメタ「０５」に含まれるライセンスを送信しない。または、前回送信した内容と同一のライセンスを送信してもよい。これにより、ライセンスは、前回送信されたライセンスの期限（図８（ａ）参照）により、パッケージメタ「０５」に含まれるライセンスが使用不可になった時点で、自動的に契約終了となる。
【００４５】
さらに、図７に示すように、パッケージメタ「０７」を契約延長する場合、パッケージメタ「０７」のＶｅｒ値を、前回送信したＶｅｒ値と異なる値に変更する。図８（ｂ）に示すように、ライセンスＩＤ「Ｌ０７」に、延長した期限を設定する。
【００４６】
（２−２）デジタル放送受信装置２１０側で行う動作
図６に示すように、デジタル放送受信装置２１０では、放送局から送信される多重したデータを、図１の放送波受信処理部１１１にて受信し、データ分離部１１２にて購入視聴者向けに送信されたライセンスを取り出す（Ｓ３１）。デジタル放送受信装置２１０は、受信したライセンスが視聴者のものであるかをカードＩＤによって判別する。
【００４７】
デジタル放送受信装置２１０は、ライセンスのＶｅｒ値が更新されているか否かを判定する（Ｓ３２）。ライセンスのＶｅｒ値が更新されているか否かの判定において、更新されていないと判定された場合には（Ｓ３２でＮＯ）、この処理フローを終了する。
【００４８】
Ｖｅｒ値が更新されている場合（Ｓ３２でＹＥＳ）、デジタル放送受信装置２１０は、カード読み書き処理部１１７にて新ライセンスをカード記憶部１１５へ更新する前に、更新前のカード記憶部１１５に記録されている旧ライセンスを旧ライセンス記憶部２１２へ記憶することにより、旧ライセンス一覧を退避してから（Ｓ３３）、カード記憶部１１５へ新ライセンスを更新する。なお、旧ライセンスは、セキュリティ上問題のある情報（鍵情報など）は、記録しなくても問題はない。
【００４９】
続いて、デジタル放送受信装置２１０は、旧ライセンス記憶部２１２に記録された旧ライセンス、カード記憶部１１５に記録されている新ライセンスを、カード読み書き処理部１１６から読み出し、旧ライセンスと新ライセンスを新旧ライセンス比較処理部２１３で次のように比較処理部を行う（Ｓ３４）。
【００５０】
図９（ａ）〜図９（ｃ）は新旧ライセンスの比較について説明するための図である。図９（ａ）は旧ライセンスＤ５１を示す図、図９（ｂ）は新ライセンスＤ５２を示す図、図９（ｃ）は比較結果を示す図である。
【００５１】
新旧ライセンス処理部２１３は、旧ライセンスＤ５１と新ライセンスＤ５２とで重複しているライセンスを更新されたライセンスと判断する。ライセンスＩＤ「Ｌ００」「Ｌ０１」「Ｌ０７」がこれらの例に該当する。
【００５２】
新旧ライセンス処理部２１３は、旧ライセンスＤ５１に存在せず、新ライセンスＤ５２に存在するライセンスを新規のライセンスと判断する。ライセンスＩＤ「Ｌ０２」「Ｌ０３」がこれらの例に該当する。
【００５３】
新旧ライセンス処理部２１３は、旧ライセンスＤ５１に存在し、新ライセンスＤ５２に存在しないライセンスを未更新のライセンスと判断する。ライセンスＩＤ「Ｌ０５」「Ｌ０６」がこれらの例に該当する。
【００５４】
このような判断によって、新旧ライセンス処理部２１３は、図９（ｃ）に示す比較結果を出力する。
【００５５】
次に、デジタル放送受信装置２１０は、新旧ライセンスの比較結果に基づいて購入履歴を求め、求めた購入履歴を記録する（Ｓ３５）。
【００５６】
図１０（ａ）〜図１０（ｅ）は、新旧ライセンスの比較結果から購入履歴を求める例を示す図である。図１０（ａ）は新旧ライセンスの比較結果を示す図、図１０（ｂ）はパッケージメタデータの例を示す図、図１０（ｃ）はライセンス更新前の購入履歴を示す図、図１０（ｄ）はライセンス更新後の購入履歴を示す図、図１０（ｅ）は購入履歴の判断基準を示す図である。
【００５７】
デジタル放送受信装置２１０のクライアントアプリケーション１１９は、比較結果出力Ｄ５３のＶｅｒ値が同値のライセンスＩＤで構成されたパッケージを、パッケージメタ記憶部１１８から該当するパッケージのパッケージメタを検索する。
【００５８】
例えば、図１０（ａ）に示す比較結果から、新規または更新に係るＶｅｒ値「０００４」を有するライセンス群（ライセンスＩＤ「Ｌ００」「Ｌ０１」「Ｌ０２」「Ｌ０３」）は同一のパッケージメタに含まれることが分かる。このライセンス群を含むパッケージメタは、パッケージメタ「０１」である。同様に未更新に係るＶｅｒ値「０００２」を有するライセンス群を含むのがパッケージメタ「０５」であり、更新に係るＶｅｒ値「０００５」のライセンスＩＤ「Ｌ０７」を含むのがパッケージメタ「０７」である。
【００５９】
以上のように、図１０（ａ）に示す比較結果と図１０（ｂ）に示すパッケージメタから、パッケージメタ「０１」「０７」を購入し、パッケージメタ「０５」が購入しなかったことが分かる。
【００６０】
次に、クライアントアプリケーション１１９は、購入されたパッケージと、購入履歴記憶部２１１に記録されているパッケージの情報（図１０（ｃ）参照）と比較する。その結果を図１０（ｅ）に示す判断に従って購入履歴を更新する。図１０（ｃ）および図１０（ｄ）に示す例では、購入履歴（更新前）Ｄ７１から購入履歴（更新後）Ｄ７２への更新方法が記されており、視聴者からの購入依頼内容に更新されたことをデジタル放送受信装置２１０で判別したことになる。
【００６１】
（３）視聴者がデジタル放送受信装置２１０でパッケージ購入状況を閲覧する処理フロー
図１１は、パッケージ購入状況を閲覧するときのデジタル放送受信装置２１０の処理フローを示す図である。この処理フローは、視聴者が購入状況の画面表示の指示をデジタル放送受信装置２１０に送ったことをトリガーとして開始する。
【００６２】
まず、デジタル放送受信装置２１０は、カード読み書き処理部１１６でカード記憶部１１５に記録されているカードＩＤを取得し、現在デジタル放送受信装置２１０で使用しているカードのＩＤをクライアントアプリケーション１１９に出力する（Ｓ４１）。
【００６３】
次に、デジタル放送受信装置２１０は、パッケージメタ記憶部１１８に記録されているパッケージメタを順に読み込み、読み込むデータがあったか否かを判定する（Ｓ４２）。読み込むデータがあった場合には、購入履歴記憶部２１１の購入履歴を順に読み込み（Ｓ４３）、パッケージメタ読込みで現在読み込んでいるパッケージメタ、カードＩＤと購入履歴とが一致するか否かを判定し（Ｓ４４）、一致する場合にステップＳ４５へ進み、一致しない場合にステップＳ４８へ進む。なお、パッケージメタの読み込みにおいて、読み込むデータがない場合は、画面出力（Ｓ５０）へ進む。
【００６４】
パッケージメタと購入履歴とが一致する場合、該当パッケージのパッケージメタに記述されているライセンスＩＤから、カード読み書き処理部１１６より、該当するライセンスの期限を解析し、期限内のライセンスの有無を判定する（Ｓ４５）。期限内のライセンスがある場合に、該当パッケージを購入済と判断する（Ｓ４６）。期限内のライセンスがない場合には、該当パッケージを期限切と判断する（Ｓ４７）。
【００６５】
現在読み込んでいるパッケージメタ、カードＩＤと購入履歴との判定において、購入履歴と一致しないと判定された場合（Ｓ４４でＮＯ）、該当パッケージを未購入と判断する（Ｓ４８）。
【００６６】
次に、デジタル放送受信装置２１０は、該当パッケージについての判断結果に基づいて、図１２に示すように、パッケージ名、価格に加え、購入状況として、「購入済」「期限切」「未購入」の表示をクライアントアプリケーション１１９で画面合成し、新たに追加した画面を作成する。その後、パッケージメタ読込み（Ｓ４２）へ戻り、上記の処理を繰り返す。デジタル放送受信装置２１０は、作成した合成画面を、画面出力処理部１２２から出力し、画面表示部１３０で表示させる（Ｓ５０）。
【００６７】
（４）視聴者がデジタル放送受信装置２１０で購入履歴を閲覧する処理フロー
次に、図１２に示す画面とは異なる画面出力方法について説明する。図１３は、購入履歴一覧を表示するための処理フローを示す図である。この処理フローは、上記した（１）（２）の処理フローを行った後に、視聴者が購入履歴画面の閲覧指示をデジタル放送受信装置２１０に送ったことをトリガーとして開始する。
【００６８】
デジタル放送受信装置２１０は、カード読み書き処理部１１６でカード記憶部１１５に記録されているカードＩＤを取得し、現在デジタル放送受信装置２１０で使用しているカードのＩＤをクライアントアプリケーションに出力する（Ｓ５１）。次に、デジタル放送受信装置２１０は、購入履歴記憶部２１１の購入履歴を順に読み込み（Ｓ５２）、読み込むデータがない場合、画面出力（Ｓ５９）へ進む。
【００６９】
デジタル放送受信装置２１０は、読み込んでいる購入履歴のパッケージに該当するパッケージを読み込み（Ｓ５３）、画面表示に必要な情報を取得する。デジタル放送受信装置２１０は、現在読み込んでいる購入履歴の契約が終了しているか否かを判定する（Ｓ５４）。契約終了であれば、デジタル放送受信装置２１０は、該当パッケージの契約終了であると判断し（Ｓ５７）、契約中であれば該当パッケージの期限内ライセンスの有無を判定する（Ｓ５５）。
【００７０】
該当パッケージの期限内ライセンス有無の判定（Ｓ５５）においては、読み込んだパッケージメタに記述されているライセンスＩＤから、カード読み書き処理部１１６より、該当するライセンスの期限を解析する。期限内ライセンスがある場合（Ｓ５５でＹＥＳ）、該当パッケージを「契約中」と判断し（Ｓ５６）、期限内のライセンスがない場合（Ｓ５５でＮＯ）、該当パッケージを「契約終了」と判断する（Ｓ５７）。
【００７１】
次に、デジタル放送受信装置２１０は、パッケージメタのみで表示できる内容である、パッケージ名、価格に加え、契約状況として「契約中」「契約終了」の表記をクライアントアプリケーション１１９で画面合成し、図１４に示すような画面を作成する。その後、デジタル放送受信装置２１０は、パッケージメタ読込み（Ｓ５２）へ戻り処理を繰り返す。
【００７２】
デジタル放送受信装置２１０は、作成した合成画面を、画面出力処理部１２２にて出力し、画面表示部１３０に表示する（Ｓ５９）。
【００７３】
第１の実施の形態のデジタル放送受信装置２１０によれば、新旧ライセンス比較処理部２１３が、購入履歴記憶部２１１に記憶された旧ライセンスと、放送波に多重して送信される新ライセンスとの比較をすることにより、どのパッケージを購入したか判断する。そして、その判断結果に基づいてパッケージの購入履歴を購入履歴記憶部２１１へ記憶するので、放送波のみの情報に基づいて視聴者のパッケージ購入履歴一覧の表記が可能となる。また、ライセンス参照情報のみで表示できる情報に加え、コンテンツの視聴可／視聴不可の表示が可能となる。
【００７４】
（第２の実施の形態）
次に、本発明の第２の実施の形態のデジタル放送受信装置について説明する。第２の実施の形態のデジタル放送受信装置は、第１の実施の形態のデジタル放送受信装置２１０と基本的な構成は同じであるが、ライセンスの管理の仕方が第１の実施の形態とは異なる。第２の実施の形態のデジタル放送受信装置は、パッケージ毎に異なるＶｅｒ値を付与してライセンスを管理するのではなく、ライセンス全体を１つのＶｅｒ値で管理する。
【００７５】
図１５（ａ）および図１５（ｂ）は、図７に示す購入依頼に従ってパッケージを更新するときのバージョン管理について説明するための図である。放送局は、変更後のライセンス購入状況を示す値を、変更前のＶｅｒ値に加えた値を変更後のＶｅｒ値として算出する。
【００７６】
ここで、ライセンス購入状況を示す値について説明する。それぞれのライセンスＩＤの購入状況を２進数のビットで表現する。すなわち、ライセンスＩＤの「Ｌ００」〜「Ｌ０７」を８ビットで表現し、購入したライセンス（すなわち「新規」または「更新」）に対応するビットを「１」とし、購入していないライセンスに対応するビットを「０」とする。「新規」「更新」扱いであるライセンスＩＤは、「Ｌ００」、「Ｌ０１」、「Ｌ０２」、「Ｌ０３」、「Ｌ０７」であるので、ライセンスＩＤの購入状況は、「１０００１１１１」となる。これを１０進数で表すと「１４３」である。
【００７７】
前回送信されたＶｅｒ値は「０００１」であるので、前回送信されたＶｅｒ値にライセンスの購入状況を示す値「１４３」を加算すると新しいＶｅｒ値は「０１４４」となる（図１５（ａ）、図１５（ｂ）参照）。
【００７８】
デジタル放送受信装置２１０には、放送局から送信されるＶｅｒ値から逆算して、「Ｌ００」、「Ｌ０１」、「Ｌ０２」、「Ｌ０３」、「Ｌ０７」が「新規」「更新」扱いであることを伝えることができる。ここでは、Ｖｅｒ更新を放送局・デジタル放送受信装置２１０双方で１０進表記で運用する例で記述しているが、２進表記のままでも同様に運用可能である。
【００７９】
図７において、購入パッケージ内容をパッケージメタ「００」からパッケージメタ「０１」へ変更する時、第１の実施の形態と同様に、ライセンスＩＤ「Ｌ００」「Ｌ０１」は送信済みであることから、「更新」扱いとし、残りのライセンスＩＤ「Ｌ０２」「Ｌ０３」を「新規」扱いとして同時に送信することで、「Ｌ００」「Ｌ０１」「Ｌ０２」「Ｌ０３」で構成されるパッケージであることをデジタル放送受信装置２１０に伝える。
【００８０】
なお、第２の実施の形態においては、第１の実施の形態のように各パッケージを識別するＩＤがないため、ライセンスＩＤ「Ｌ０２」「Ｌ０３」のみで構成されるパッケージが存在しないことが運用上の制限となる。
【００８１】
また、パッケージメタ「０５」を契約終了する時、ライセンスは期限によりパッケージメタ「０５」に含まれる全てのライセンスが使用不可になった時点で、自動的に契約終了となるため、「未更新」扱いとする。
【００８２】
さらに、パッケージメタ「０７」を契約延長する場合、「更新」扱いとし、ライセンスＩＤ「Ｌ０７」に延長した期限を設定する。
【００８３】
前述した「新規」「更新」「未更新」をＴ４１，Ｄ４２に示したＶｅｒ更新方法でデジタル放送受信装置２１０に認識させる。「新規」「更新」のライセンスＩＤをビットとし１０進数に変換する。
【００８４】
図１６（ａ）〜図１６（ｃ）は、第２の実施の形態における新旧ライセンスの比較について説明するための図である。図１６（ａ）は旧ライセンスＤ６１を示す図、図１６（ｂ）は新ライセンスＤ６２を示す図、図１６（ｃ）は比較結果を示す図である。
【００８５】
第２の実施の形態においては、まず、新旧ライセンスのＶｅｒ値の変化から新規または更新に係るライセンスＩＤを検索する。この例では、新ライセンスのＶｅｒ値「０１４４」から旧ライセンスのＶｅｒ値「０００１」を減算して得られる値「０１４３」を２進数に変換し、値が「１」となっているビットに対応するライセンスＩＤを新規または更新に係るライセンスＩＤとして求める。新規または更新に係るライセンスＩＤが求められた後は、第１の実施の形態と同様に、新旧ライセンスを比較して、新規、更新または未更新と判断する。
【００８６】
図１７（ａ）〜図１７（ｅ）は、新旧ライセンスの比較結果から購入履歴を求める例を示す図である。図１７（ａ）は新旧ライセンスの比較結果を示す図、図１７（ｂ）はパッケージメタデータの例を示す図、図１７（ｃ）はライセンス更新前の購入履歴を示す図、図１７（ｄ）はライセンス更新後の購入履歴を示す図、図１７（ｅ）は購入履歴の判断基準を示す図である。
【００８７】
デジタル放送受信装置のクライアントアプリケーション１１９では、図１７（ａ）に示す比較結果出力Ｄ６３の更新状況（新規・更新・未更新・削除）の組み合わせを、ライセンス構成に置き換えてパッケージ候補を検索する。ライセンスの構成は、パッケージ候補のライセンスの構成状態の項目分存在する。本実施の形態では、図１７（ｂ）に示すように、パッケージメタ「００」「０１」「０５」「０７」がパッケージメタ候補となる。
【００８８】
次に、購入履歴記憶部２１１に記憶されているパッケージの情報とパッケージ候補を比較する。例えば、図１７（ａ）に示す比較結果から、新規または更新に係るライセンス群（ライセンスＩＤ「Ｌ００」「Ｌ０１」「Ｌ０２」「Ｌ０３」「Ｌ０７」）の組合せの中で該当するパッケージメタを検索すると、購入されたパッケージメタは、パッケージメタ「０１」とパッケージメタ「０７」であることが分かる。また、未更新に係るライセンス群（ライセンスＩＤ「Ｌ０５」「Ｌ０６」）の組合せの中で該当するパッケージメタを検索すると、未更新のパッケージメタはパッケージメタ「０５」であることが分かる。
【００８９】
この結果に基づいて、図１７（ｅ）に示す判断基準に基づいて、図１７（ｄ）に示すように購入履歴記憶部２１１のデータを更新する。
【００９０】
第２の実施の形態のデジタル放送受信装置は、第１の実施の形態と同様に、放送波のみの情報に基づいて視聴者のパッケージ購入履歴一覧の表記が可能となる。また、第２の実施の形態においては、ライセンス全体を１つのバージョンで管理できるので、管理が容易となる。
【００９１】
また、図１６（ａ）の旧ライセンスＤ６１、および図１６（ｂ）の新ライセンスＤ６２では、「鍵」「期限」をライセンスＩＤ毎に記述する例を示したが、バージョン同様、ライセンス全体で共通の値とした場合でも、同様の効果が得られる。
【００９２】
（第３の実施の形態）
図１８は、本発明の第３の実施の形態のデジタル放送受信装置２１０を示す図である。第３の実施の形態のデジタル放送受信装置３１０は、第１の実施の形態のデジタル放送受信装置２１０に通信処理部３１１を加えた構成を有する。通信処理部３１１は、放送施設１００から通信で、コンテンツ、パッケージメタ、ライセンス参照情報、ライセンス（以下、「コンテンツ関連データ」という）を取得する。
【００９３】
第３の実施の形態では、放送局はコンテンツ関連データを放送波に多重して送信するのではなく、通信回線を通じてデジタル放送受信装置３１０にダウンロードする。デジタル放送受信装置３１０は、通信処理部３１１にてコンテンツ関連情報を受信すると、コンテンツ関連情報に基づいて第１の実施の形態と同様に、新旧ライセンスを比較して、購入履歴記憶部２１１に購入履歴を記憶する。
【００９４】
以上のように本発明の第３の実施の形態のデジタル放送受信装置２１０によれば、第１の実施の形態のデジタル放送受信装置２１０に通信処理部３１１を加えることにより、放送波のみ、通信のみ、または放送波と通信混合でコンテンツ関連データを受信する。従来のデジタル放送受信装置２１０のように、通信経由で顧客管理サーバにアクセスしなくてもデジタル放送受信装置２１０のみの情報で、第１の実施の形態のデジタル放送受信装置２１０と同様の画面表示することができる。
【００９５】
（第４の実施の形態）
図１９は、本発明の第４の実施の形態のデジタル放送受信装置２１０を示す図である。第４の実施の形態のデジタル放送受信装置４１０は、第１の実施の形態または第２の実施の形態のデジタル放送受信装置２１０にパッケージメタ検索処理部４１１、価格比較処理部４１２を加えた構成となっている。
【００９６】
パッケージメタ検索処理部４１１は、現在取得している月極ライセンスから、最安となるパッケージの購入組み合わせを検索し、価格比較処理部４１２では、現在月極契約しているパッケージ購入している組み合わせと、最安の組み合わせの価格合計を比較する。
【００９７】
図２０は、デジタル放送受信装置２１０の動作を示す図である。まず、第１の実施の形態のデジタル放送受信装置２１０で説明したように、（１）視聴者が購入できる準備を行う処理フロー、（２）視聴者がパッケージ購入し放送局からライセンス付与される処理フローを実施する。
【００９８】
その後、デジタル放送受信装置４１０は、視聴者が図２１（ａ）に示すデジタル放送受信装置２１０の画面Ｐ２１の閲覧指示をデジタル放送受信装置２１０に送ったことをトリガーとして、最安価格の検索を開始する。
【００９９】
デジタル放送受信装置２１０は、カード読み書き処理部１１６でカード記憶部１１５に記録されているカードＩＤとライセンスＩＤを取得し、パッケージメタ検索処理部４１１に出力する（Ｓ６１）。
【０１００】
次に、デジタル放送受信装置２１０は、パッケージメタ記憶部１１８に記録されているパッケージメタを読み込み、パッケージメタ検索処理部４１１に出力する（Ｓ６２）。その後、デジタル放送受信装置２１０は、パッケージメタ検索処理部で、パッケージメタの利用可能なライセンスＩＤ一覧より（図３参照）、取得したライセンスを購入できる全てのパッケージ購入組み合わせパターンを検索する（Ｓ６３）。その後、デジタル放送受信装置２１０は、購入組み合わせパターンの中で最安となる組み合わせを検索結果として、価格比較処理部４１２へ出力する。
【０１０１】
デジタル放送受信装置２１０は、購入履歴記憶部２１１に記録されている購入履歴を価格比較処理部２１３へ出力する（Ｓ６４）。価格比較処理部４１２で、購入履歴から該当パッケージメタを検索して現在の価格合計を計算し、現在の価格合計と最安となる組み合わせの価格合計とを比較する（Ｓ６５）。検索結果の価格合計が、現在の価格合計より安価な場合は、最安組合せの表示画面を生成し（Ｓ６６）、同価格の場合は該当なしの画面を生成する（Ｓ６７）。
【０１０２】
最安組み合わせの画面生成（Ｓ６６）では、デジタル放送受信装置２１０は、クライアントアプリケーション１１９で、検索結果の組み合わせを表記し、例えば、図２１（ａ）に示すような画面Ｐ２１を生成する。該当なしの画面生成（Ｓ６７）では、クライアントアプリケーション１１９で、該当なしであることを表記し、例えば、図２１（ｂ）に示す画面Ｐ２２を生成する。
【０１０３】
次に、デジタル放送受信装置２１０は、生成した画面を、画面出力処理部１２２から出力し、画面表示部１３０にて表示する（Ｓ６８）。
【０１０４】
以上のように本発明の第４の実施の形態のデジタル放送受信装置２１０によれば、第１の実施の形態ないし第３の実施の形態のデジタル放送受信装置２１０にパッケージメタ検索処理部４１１、価格比較処理部４１２を加えることにより、視聴者に現在の月極契約よりもさらに安く契約できるパッケージ組み合わせを画面表示することが可能となる。
【産業上の利用可能性】
【０１０５】
本発明は、放送波の単方向の受信情報のみでも、視聴者にコンテンツ購入状況（購入済／未購入）やコンテンツ購入履歴を提示する効果を有するデジタル放送受信装置を提供することができるというすぐれた効果を有し、例えば、デジタル放送受信装置等として有用である。
【図面の簡単な説明】
【０１０６】
【図１】第１の実施の形態におけるデジタル放送受信装置のブロック図
【図２】第１の実施の形態におけるデジタル放送受信装置の視聴者がライセンスを購入する準備を行う処理フローを示す図
【図３】パッケージメタ記憶部に記憶されるデータの例を示す図
【図４】ライセンス参照情報記憶部に記憶されるデータの例を示す図
【図５】（ａ）パッケージメタデータおよびライセンス参照情報の例を示す図（ｂ）パッケージメタの情報を表示した例を示す図（ｃ）パッケージメタの情報を表示した例を示す図
【図６】第１の実施の形態におけるデジタル放送受信装置の視聴者がパッケージ購入し放送局からライセンス付与を受ける処理フローを示す図
【図７】第１の実施の形態におけるデジタル放送受信装置の視聴者からの購入依頼内容例を示す図
【図８】（ａ）パッケージ更新前にカード記憶部に記憶されたライセンスの情報を示す図（ｂ）パッケージ更新後にカード記憶部に記憶されたライセンスの情報を示す図
【図９】（ａ）旧ライセンスを示す図（ｂ）新ライセンスを示す図（ｃ）比較結果を示す図
【図１０】（ａ）新旧ライセンスの比較結果を示す図（ｂ）パッケージメタデータの例を示す図（ｃ）ライセンス更新前の購入履歴を示す図（ｄ）ライセンス更新後の購入履歴を示す図（ｅ）購入履歴の判断基準を示す図
【図１１】第１の実施の形態におけるデジタル放送受信装置の視聴者がデジタル放送受信装置でパッケージ購入状況を閲覧する処理フローを示す図
【図１２】パッケージ購入状況の画面表示例を示す図
【図１３】第１の実施の形態におけるデジタル放送受信装置の視聴者がデジタル放送受信装置で購入履歴を閲覧する処理フローを示す図
【図１４】パッケージ購入履歴の画面表示例を示す図
【図１５】（ａ）パッケージ更新前にカード記憶部に記憶されたライセンスの情報を示す図（ｂ）パッケージ更新後にカード記憶部に記憶されたライセンスの情報を示す図
【図１６】（ａ）旧ライセンスを示す図（ｂ）新ライセンスを示す図（ｃ）比較結果を示す図
【図１７】（ａ）新旧ライセンスの比較結果を示す図（ｂ）パッケージメタデータの例を示す図（ｃ）ライセンス更新前の購入履歴を示す図（ｄ）ライセンス更新後の購入履歴を示す図（ｅ）購入履歴の判断基準を示す図
【図１８】第２の実施の形態におけるデジタル放送受信装置のブロック図
【図１９】第３の実施の形態におけるデジタル放送受信装置のブロック図
【図２０】第３の実施の形態におけるデジタル放送受信装置の動作を示すフロー図
【図２１】（ａ）第３の実施の形態におけるデジタル放送受信装置の受信画面表示例を示す図（ｂ）第３の実施の形態におけるデジタル放送受信装置の受信画面表示例を示す図
【図２２】従来のデジタル放送受信装置のブロック図
【符号の説明】
【０１０７】
１００  放送施設
１１０  従来のデジタル放送受信装置
１１１  放送波受信処理部
１１２  データ分離部
１１３  通信処理部
１１４  ＩＣカード
１１５  カード記憶部
１１６  カード読み書き処理部
１１７  コンテンツ記憶部
１１８  パッケージメタ記憶部
１１９  クライアントアプリケーション
１２０  ライセンス参照情報記憶部
１２１  キー入力処理部
１２２  画面出力処理部
１３０  画面表示部
２１０  第１の実施の形態におけるデジタル放送受信装置
２１１  購入履歴記憶部
２１２  旧ライセンス記憶部
２１３  新旧ライセンス記憶部
３１０  本発明の第２の実施の形態におけるデジタル放送受信装置
３１１  通信処理部
４１０  第３の実施の形態におけるデジタル放送受信装置
４１１  パッケージメタ検索処理部
４１２  価格比較処理部
【図１】
2007158560.tif 000003
【図２】
2007158560.tif 000004
【図３】
2007158560.tif 000005
【図４】
2007158560.tif 000006
【図５】
2007158560.tif 000007
【図６】
2007158560.tif 000008
【図７】
2007158560.tif 000009
【図８】
2007158560.tif 000010
【図９】
2007158560.tif 000011
【図１０】
2007158560.tif 000012
【図１１】
2007158560.tif 000013
【図１２】
2007158560.tif 000014
【図１３】
2007158560.tif 000015
【図１４】
2007158560.tif 000016
【図１５】
2007158560.tif 000017
【図１６】
2007158560.tif 000018
【図１７】
2007158560.tif 000019
【図１８】
2007158560.tif 000020
【図１９】
2007158560.tif 000021
【図２０】
2007158560.tif 000022
【図２１】
2007158560.tif 000023
【図２２】
2007158560.tif 000024